(57)【要約】【課題】シートの巻回体であるロールを容易に取り扱うことができる搬送補助具を提供することを目的とする。【解決手段】本発明の一態様に係る搬送補助具は、シートの巻回体であるロールを搬送するための搬送補助具であって、ロールを持ち上げる際に、ロールの外周面を下方から支える支持部と、支持部を介して配置される２以上の取手部とを有する折り曲げ可能なシート体を備える。取手部が、取手となる貫通孔を有し、当該搬送補助具は、２以上の取手部の貫通孔のそれぞれを囲むようにシート体上に連続して配設される２以上の第１補強部材を更に備えるとよい。シート体が、段ボールシートであるとよい。支持部が、シート体の折り曲げを容易にするための切込部を有するとよい。当該搬送補助具は、切込部を被覆するようにシート体上に配設される第２補強部材を更に備えるとよい。【選択図】図１
2020055616.tif 000002
【特許請求の範囲】
【請求項１】
シートの巻回体であるロールを搬送するための搬送補助具であって、
前記ロールを持ち上げる際に、前記ロールの外周面を下方から支える支持部と、前記支持部を介して配置される２以上の取手部とを有する折り曲げ可能なシート体
を備える搬送補助具。
【請求項２】
前記取手部が、取手となる貫通孔を有し、
２以上の前記取手部の前記貫通孔のそれぞれを囲むように前記シート体上に連続して配設される２以上の第１補強部材
を更に備える請求項１に記載の搬送補助具。
【請求項３】
前記シート体が、段ボールシートである請求項１又は請求項２に記載の搬送補助具。
【請求項４】
前記支持部が、前記シート体の折り曲げを容易にするための切込部を有する請求項１から請求項３のいずれか１項に記載の搬送補助具。
【請求項５】
前記切込部を被覆するように前記シート体上に配設される第２補強部材
を更に備える請求項４に記載の搬送補助具。
【請求項６】
前記第２補強部材の露出面が、滑り止め機能を有する請求項５に記載の搬送補助具。
【請求項７】
前記シート体上に配設される滑り止め部材
を更に備える請求項１から請求項６のいずれか１項に記載の搬送補助具。
【請求項８】
前記シート体が、２つで１組となる前記取手部を２組以上有し、
前記支持部が、各組の前記取手部間において連続している請求項１から請求項７のいずれか１項に記載の搬送補助具。
【請求項９】
梱包箱と、前記梱包箱に収納される前記ロールと、前記梱包箱及び前記ロール間に介在させた請求項１から請求項８のいずれか１項に記載の搬送補助具とを備える梱包体。
【発明の詳細な説明】
【技術分野】
【０００１】
本発明は、搬送補助具及び梱包体に関する。
【背景技術】
【０００２】
シート巻回体を収納する梱包体が提案されている（特許文献１）。特許文献１に記載された梱包体は、シートが巻回された支持管の両端部を枕部材で支持した状態でシート巻回体を容器に収納することで、シートが汚れるのを防止しつつシート巻回体を容器へ容易に挿入できるようにするものである。
【先行技術文献】
【特許文献】
【０００３】
【特許文献１】特開２０１３−７５７２２号公報
【発明の概要】
【発明が解決しようとする課題】
【０００４】
特許文献１に記載された発明では、容器からシート巻回体を取り出すときに、シート巻回体を持ち上げたり、容器を転倒させたりする必要がある。しかしながら、容器からシート巻回体を持ち上げて取り出す場合には、容器とシート巻回体との間に手を入れることは容易ではなく、手で触れたシートが汚れるおそれもある。また、容器を転倒させてシート巻回体を取り出す場合には、シートの巻回が緩むおそれやシートが汚れるおそれがある。特にシート体の重量が大きい場合には、シート巻回体の取り扱いがより困難となる。
【０００５】
本発明は、上述のような事情に基づいてなされたものであり、シートの巻回体であるロールを容易に取り扱うことができる搬送補助具及びこの搬送補助具を備える梱包体を提供することを目的とする。
【課題を解決するための手段】
【０００６】
上記課題を解決するためになされた本発明の一態様に係る搬送補助具は、シートの巻回体であるロールを搬送するための搬送補助具であって、前記ロールを持ち上げる際に、前記ロールの外周面を下方から支える支持部と、前記支持部を介して配置される２以上の取手部とを有する折り曲げ可能なシート体を備える。
【０００７】
前記取手部が、取手となる貫通孔を有し、当該搬送補助具は、２以上の前記取手部の前記貫通孔のそれぞれを囲むように前記シート体上に連続して配設される２以上の第１補強部材を更に備えるとよい。
【０００８】
前記シート体が、段ボールシートであるとよい。
【０００９】
前記支持部が、前記シート体の折り曲げを容易にするための切込部を有するとよい。
【００１０】
当該搬送補助具は、前記切込部を被覆するように前記シート体上に配設される第２補強部材を更に備えるとよい。
【００１１】
前記第２補強部材の露出面が、滑り止め機能を有するとよい。
【００１２】
当該搬送補助具は、前記シート体上に配設される滑り止め部材を更に備えるとよい。
【００１３】
前記シート体が、２つで１組となる前記取手部を２組以上有し、前記支持部が、各組の前記取手部間において連続しているとよい。
【００１４】
上記課題を解決するためになされた本発明の一態様に係る梱包体は、梱包箱と、前記梱包箱に収納される前記ロールと、前記梱包箱及び前記ロール間に介在させた前記搬送補助具とを備える。
【発明の効果】
【００１５】
本発明の一態様に係る搬送補助具及びこの搬送補助具を備える梱包体は、シートの巻回体であるロールを容易に取り扱うことができる。
【図面の簡単な説明】
【００１６】
【図１】本発明の第一実施形態に係る搬送補助具を示す模式的正面図である。
【図２】図１の搬送補助具を使用する様子を示す模式図である。
【図３】本発明の第二実施形態に係る搬送補助具を示す模式的正面図である。
【図４】本発明の第三実施形態に係る梱包体の上面を開放した様子を示す模式的平面図である。
【発明を実施するための形態】
【００１７】
以下、本発明の実施形態に係る搬送補助具及びこの搬送補助具を備える梱包体について図を参照しつつ詳説する。
【００１８】
［第一実施形態］
図１に示す搬送補助具１は、シートの巻回体であるロールＸを搬送するための搬送補助具である。搬送補助具１は、シート体２と、シート体２上に配設される第１補強部材３、第２補強部材４及び滑り止め部材５とを備えている。シート体２は、支持部２１と、支持部２１を介して配置される２つの取手部２２とを有している。搬送補助具１は、例えば人の手でロールＸを持ち上げて搬送する際に、ロールＸの持ち上げを補助するものである。なお、ロールＸを構成するシートは、例えば印刷するためのシートや印刷済みのシートであるとよく、巻回可能な柔軟性を有するシートであれば、特に限定されない。
【００１９】
＜シート体＞
シート体２は、折り曲げ可能なシート体であり、中央に位置する支持部２１と、支持部２１を介して両端に位置する２つの取手部２２とを有している。また、シート体２は、２つの取手部２２を結ぶ方向を長手方向とし、取手部２２の幅方向を短手方向とする略矩形状に形成されており、特に限定されないが、例えば長手方向の長さが１００ｃｍ程度、短手方向の長さが３０ｃｍ程度となっている。シート体２は、コストの観点から、段ボールシートであるとよいが、段ボールシートに限定されず、例えば布、ゴム、シリコーン等の摩擦抵抗の大きい露出面を有するシートであってもよい。
【００２０】
シート体２の平均厚みは、シート体２の材質によって最適な厚みが異なるため、特に限定されないが、例えば０．０５ｍｍ以上１０ｍｍ以下であるとよく、０．１ｍｍ以上５ｍｍ以下であると好ましい。シート体２は、平均厚みが上記範囲内であると、適切な強度を保持しつつ軽量化を図ることができる。
【００２１】
支持部２１は、シート体２の中央部分を構成し、ロールＸを持ち上げる際に、ロールＸの外周面を下方から支える。図１において破線で示されるように、支持部２１は、シート体２の折り曲げを容易にするための４つの切込部２１１を有している。切込部２１１は、シート体２の一方の面にのみ設けられ、例えばカッターを用いてシート体２の一方の面をわずかに切り込むことによって形成される。また、４つの切込部２１１のそれぞれは、シート体２の短手方向と略平行にかつ間隔Ｌで等間隔に設けられている。
【００２２】
取手部２２は、シート体２の長手方向の両端部分に支持部２１を介して２つで１組となるように配置されている。取手部２２のそれぞれは、取手となる貫通孔２２１を有している。貫通孔２２１は、略矩形状に形成されており、使用者の指を挿入可能な大きさとなっている。
【００２３】
＜第１補強部材＞
第１補強部材３は、取手部２２を補強するためのものであり、２つの第１補強部材３が、２つの取手部２２の貫通孔２２１のそれぞれを囲むようにシート体２上に連続して配設されている。第１補強部材３としては、柔軟性を有する粘着テープが用いられるが、第１補強部材３及び第１補強部材３の固定手段は、特に限定されず、例えばプラスチック製の薄板等を接着剤により貫通孔２２１の周囲に接着するものであってもよい。
【００２４】
また、第１補強部材３は、貫通孔２２１の周囲を１周するように連続して配設されていればよく、図１に示すように、取手部２２の貫通孔２２１を除く全面に配設されてもよいし、貫通孔２２１の周囲にのみ配設されてもよい。また、第１補強部材３は、シート体２の両面に配設されてもよいし、シート体２の一方の面にのみ配設されてもよい。
【００２５】
＜第２補強部材＞
第２補強部材４は、支持部２１を補強するためのものであり、４つの第２補強部材４が、４つの切込部２１１のそれぞれを被覆するようにシート体２上に配設されている。第２補強部材４は、切込部２１１を被覆するように支持部２１に配設されることで、切込部２１１でのシート体２の破損を防止する。第２補強部材４としては、柔軟性を有する粘着テープが用いられるが、第１補強部材３と同様に、例えばプラスチック製の薄板等が用いられてもよい。なお、第２補強部材４は、図１に示すように、切込部２１１の全てを被覆するように切込部２１１に沿ってシート体２上に配設されているが、切込部２１１を被覆する部分を有していればよく、例えば切込部２１１の一部を被覆していなくてもよく、シート体２上の切込部２１１から離れた位置まで連続して配設されていてもよい。また、第２補強部材４は、特に限定されないが、切込部２１１を確実に被覆するように、例えば３ｃｍ程度の幅を有しているとよい。
【００２６】
第２補強部材４の露出面は、支持部２１とロールＸとの間の摩擦抵抗を向上させるために、滑り止め機能を有するように構成されている。滑り止め機能については、特に限定されないが、第２補強部材４が、例えば滑り止めテープ等の摩擦抵抗の大きい露出面を有する粘着テープであるとよい。なお、第２補強部材４の露出面は、滑り止め機能を有していなくてもよい。
【００２７】
＜滑り止め部材＞
滑り止め部材５は、支持部２１とロールＸとの間の摩擦抵抗を向上させるためのものであり、支持部２１の中央に位置するようにシート体２上に配設されている。滑り止め部材５の露出面は、滑り止め機能を有している。滑り止め部材５は、例えば滑り止めテープ等の摩擦抵抗の大きい露出面を有する粘着テープであるとよく、滑り止め部材５の露出面の滑り止め機能は、上述の第２補強部材４の露出面の滑り止め機能と同じであってもよいし、異なっていてもよい。
【００２８】
以上に説明した搬送補助具１は、図２に示すように、同時に２つ使用される。すなわち、使用者は、２つの搬送補助具１のそれぞれを上述のシート体２の一方の面が内側となるように折り曲げてロールＸを挟み込み、各搬送補助具１の２つの取手部２２を重ね合わせた状態で、左右の手で各搬送補助具１の取手部２２を把持しつつロールＸを持ち上げる。これにより、搬送補助具１の使用者は、シートの巻回体であるロールＸを容易に取り扱うことができる。
【００２９】
また、搬送補助具１は、シート体２を段ボールシートとし、この段ボールシートに切込部２１１及び貫通孔２２１を設けた構成であるが、シート体２上に第１補強部材３及び第２補強部材４を備えているので、低コストで製造できるとともに、切込部２１１の位置で容易に折り曲げ可能でありかつ十分な強度を有する。
【００３０】
［第二実施形態］
図３に示す搬送補助具１０は、第一実施形態の搬送補助具１の変形例である。以下、第一実施形態の搬送補助具１の構成と同じ構成については同一の符号を付して説明を省略し、異なる構成を中心に説明する。
【００３１】
搬送補助具１０は、シート体２と、シート体２上に配設される第１補強部材３及び第２補強部材４とを備えている。シート体２は、１つの支持部２１と、支持部２１を介して配置される４つの取手部２２とを有しており、図３に示すように、２つの略矩形状のシートを中央で連結した略Ｈ字型に形成されている。
【００３２】
支持部２１は、中央に連結部２１２を有している。また、４つの取手部２２は、支持部２１を介して２つで１組となっている。つまり、シート体２は、２つで１組となる取手部２２を２組有しており、支持部２１が、各組の取手部２２間において連続している。なお、隣り合う２組の取手部２２間の距離は、人間の肩幅程度か、肩幅よりも少し広い程度であると好ましく、例えば４０ｃｍ以上５０ｃｍ以下であるとよい。
【００３３】
以上に説明した搬送補助具１０は、隣り合う２組の取手部２２間の距離が支持部２１によって一定に保たれる。これにより、搬送補助具１０の使用者は、隣り合う２組の取手部２２間の距離を調整する必要がなく、シートの巻回体であるロールＸを容易に取り扱うことができる。
【００３４】
［第三実施形態］
図４に示す梱包体１００は、梱包箱Ｙと、梱包箱Ｙに収納されるロールＸと、梱包箱Ｙ及びロールＸ間に介在させた２つの搬送補助具１とを備えている。また、梱包体１００は、ロールＸの両端と梱包箱Ｙとの間にロールＸを支持するロール支持材Ｚを更に備えている。
【００３５】
搬送補助具１が備えるシート体２の支持部２１には、シート体２の折り曲げを容易にするための４つの切込部２１１が間隔Ｌで等間隔に設けられている。搬送補助具１は、これらの切込部２１１の位置において折り曲げ可能であり、梱包箱Ｙの上面側で２つの取手部２２が重なるようにかつロールＸを包むように略正方形に折り曲げられて梱包箱Ｙ内に収納される。
【００３６】
以上に説明した梱包体１００は、上面を開放すると、使用者が搬送補助具１の取手部２２を容易に把持することができるため、使用者が、梱包箱ＹからロールＸを容易に取り出すことができるとともに、取り出したロールＸを容易に取り扱うことができる。
【００３７】
［その他の実施形態］
本発明は、上記実施形態に限定されない。
【００３８】
上記第一実施形態では、シート体２が２つの取手部２２を有しているものについて説明したが、取手部２２の数は２以上であればよい。また、上記第二実施形態では、シート体２が２つで１組となる取手部２２を２組有しているものについて説明したが、取手部２２の数は２組以上であればよい。
【００３９】
上記実施形態では、取手部２２が取手となる貫通孔２２１を有しているものについて説明したが、取手部２２は、貫通孔２２１を有していなくてもよく、例えばシリコーン等の樹脂を固定することによって取手が設けられてもよい。
【００４０】
上記実施形態では、支持部２１が切込部２１１を有しているものについて説明したが、切込部２１１の数は任意に選択可能である。また、支持部２１は切込部２１１を有していなくてもよい。
【００４１】
上記第一実施形態では、搬送補助具１が、第１補強部材３、第２補強部材４及び滑り止め部材５を備えているものについて説明したが、搬送補助具１は、第１補強部材３、第２補強部材４及び滑り止め部材５を備えていなくてもよく、第１補強部材３、第２補強部材４及び滑り止め部材５の少なくともいずれかを備えるものであってもよく、第１補強部材３、第２補強部材４及び滑り止め部材５の少なくとも２つを備えるものであってもよい。
【００４２】
上記第二実施形態では、搬送補助具１０が、第１補強部材３及び第２補強部材４を備えているものについて説明したが、搬送補助具１０は、第１補強部材３及び第２補強部材４を備えていなくてもよく、第１補強部材３又は第２補強部材４を備えるものであってもよい。また、搬送補助具１０は、滑り止め部材５を備えていてもよい。
【００４３】
上記第三実施形態では、梱包体１００が２つの搬送補助具１を備えているものについて説明したが、梱包体１００は１つの搬送補助具１０を備えるものであってもよい。
【符号の説明】
【００４４】
１，１０  搬送補助具
２  シート体
２１  支持部
２１１  切込部
２１２  連結部
２２  取手部
２２１  貫通孔
３  第１補強部材
４  第２補強部材
５  滑り止め部材
１００  梱包体
Ｘ  ロール
Ｙ  梱包箱
Ｚ  ロール支持材
【図１】
2020055616.tif 000003
【図２】
2020055616.tif 000004
【図３】
2020055616.tif 000005
【図４】
2020055616.tif 000006